(57)【特許請求の範囲】
【請求項１】
エアベントの前面に設置されて、吐出される風の方向を案内するエアベントウイング（１０）を、ノブ（２０）に設けられた組付孔（２１）内に組み付けてなるエアベントノブ構造であって、
前記ノブ（２０）に結合される前記エアベントウイング（１０）の前面に前方ストッパー（１１）が形成され、その背面にノブ係合溝（１２）が形成され、
前記ノブ（２０）の、前記組付孔（２１）の内部に位置する前端部に形成された組付溝（２２）に、ゴム片（３０）が組み付けられ、該ゴム片（３０）に、前記エアベントウイング（１０）の前記前方ストッパー（１１）を受容し、かつ前記前方ストッパー（１１）に対してスライド可能な前方スライド溝（３１）が形成され、
前記ノブ（２０）の後方両側端部には、前記エアベントウイング（１０）の前記ノブ係合溝（１２）の両側内壁面に当接可能な後方ストッパー（２３）が形成されており、
前記ノブ（２０）の前記前方ストッパー（１１）が前方スライド溝（３１）に沿って左右に相対移動し得る移動距離（ｌ）は、前記後方ストッパー（２３）が前記ノブ係合溝（１２）に沿って左右に相対移動し得る移動距離（Ｌ）よりも小さく形成されることにより、先に前記前方ストッパー（１１）が、前記ゴム片（３０）の前方スライド溝（３１）の壁面に当接するようにされていることを特徴とする自動車のエアベントノブ構造。
【請求項２】
前記ノブ（２０）の移動により前記前方ストッパー（１１）が前記ゴム片（３０）の前方スライド溝（３１）の側壁面に当接したときに、前記後方ストッパー（２３）は、前記ノブ係合溝（１２）の対応する側壁面に対して離隔した位置を占め、
前記後方ストッパー（２３）が、前記ノブ係合溝（１２）の側壁面に当接したときには、前記前方ストッパー（１１）は、前方スライド溝（３１）の側壁面内に突入するように構成されていることを特徴とする請求項１に記載の自動車のエアベントノブ構造。
【発明の詳細な説明】
【技術分野】
【０００１】
本発明は、自動車のエアベントノブ構造に関し、特に、エアベントの風向を調整するノブの移動に伴う衝撃音を減少させ、操作感を向上することにより、商品価値を向上させるような技術に関する。
【背景技術】
【０００２】
一般的に、自動車用エアベント（Ａｉｒ−Ｖｅｎｔ）は、自動車室内の温度を適正に維持するための空調システムのエア吐出手段をなす。
【０００３】
空調システムから得られた温風または冷風がエアベントを介して吐出されるが、このようなエアベントは、自動車室内に露出しているために、デザイン、操作性及び利便性が重要視されている。
【０００４】
韓国特許公報１０−１３０５８０７号には、ノブ操作時に、ベーン本体或いはウイング本体に対する摩擦を低減することができる従来技術として、図１に示すようにノブ（２）のスリット内部に一つの係合突起（２ａ）が形成され、上記ノブ（２）のスリットに挿入されたエアベントウイング（１）のスライド部両端部に、係合突起（２ａ）が乗り越えるべき対応係合突起（１ａ）を形成した構成が開示されている。
【０００５】
即ち、エアベントウイング（１）を上死点または下死点の位置まで移動させると、ノブ（２）の係合突起（２ａ）がエアベントウイング（１）の係合突起（１ａ）を乗り越え、「カチッ」という音と振動をユーザーに伝えることになる。
【０００６】
これにより、エアベントの吐出口が完全に閉塞されたことをユーザーに感じさせることができ、エアベントのノブ操作性を向上させることができる。
【０００７】
上記した従来技術では、ノブの操作に応じた振動や音の発生により、ユーザーがエアベントの閉鎖を認識できるようにしたものであるが、認識のための手段であるノブの係合突起が、エアベントウイングの対応係合突起を乗り越えなければならず、一定量の操作荷重を要するばかりでなく、衝撃音が発生することから、ユーザーに不快感をもたらすという問題があった。
【先行技術文献】
【特許文献】
【０００８】
【特許文献１】韓国特許公報第１０−１３０５８０７号                            −  「エアベントウイング組立体」（公告日２０１３年０９月０６日）
【発明の概要】
【発明が解決しようとする課題】
【０００９】
本発明は、このような従来技術の問題点を鑑みて案出されたものであり、その主な目的は、ユーザーのノブ操作時に衝撃や騒音が発生しないようにしつつ、作動感を向上させることができるようにした自動車のエアベントノブ構造を提供することにある。
【００１０】
本発明の第２の目的は、ウイング本体及びノブの組立工程に際して、衝撃音を防止するための別途の部品を不要とし、組立工程を簡便化し、作業能率を向上させるようにした自動車のエアベントノブ構造を提供することにある。
【課題を解決するための手段】
【００１１】
本発明は、上記の目的を達成するために、エアベントの前面に設置されて、吐出される風の方向を案内するエアベントウイング（１０）を、ノブ（２０）に設けられた組付孔（２１）内に組み付けてなるエアベントノブ構造であって、前記ノブ（２０）に結合される前記エアベントウイング（１０）の前面に前方ストッパー（１１）が形成され、その背面にノブ係合溝（１２）が形成され、前記ノブ（２０）の、前記組付孔（２１）の内部に位置する前端部に形成された組付溝（２２）に、ゴム片（３０）が組み付けられ、該ゴム片（３０）に、前記エアベントウイング（１０）の前記前方ストッパー（１１）をスライド可能に受容する前方スライド溝（３１）が形成され、前記ノブ（２０）の後方両側端部には、前記エアベントウイング（１０）の前記ノブ係合溝（１２）の両側内壁面に当接可能な後方ストッパー（２３）が形成されていることを特徴とする自動車のエアベントノブ構造を提供する。
【００１２】
また、前記ノブ（２０）の前記前方ストッパー（１１）が、前方スライド溝（３１）に沿って左右に相対移動し得る移動距離（ｌ）は、前記後方ストッパー（２３）が前記ノブ係合溝（１２）に沿って左右に移動し得る移動距離（Ｌ）よりも小さく形成されることにより、先に前記前方ストッパー（１１）が、前記ゴム片（３０）の前方スライド溝（３１）の壁面に当接するようにされていると良い。
【００１３】
更に、前記ノブ（２０）の移動により前記前方ストッパー（１１）が前記ゴム片（３０）の前方スライド溝（３１）の側壁面に当接したときに、前記後方ストッパー（２３）は、前記ノブ係合溝（１２）の対応する側壁面に対して離隔した位置を占め、前記後方ストッパー（２３）が、前記ノブ係合溝（１２）の側壁面に当接したときには、前記前方ストッパー（１１）は、前方スライド溝（３１）の側壁面内に突入するように構成されていると良い。
【発明の効果】
【００１４】
このような構造からなる本発明によれば、ノブ内部に弾性的なゴム片が挿入され、このゴム片を用いてエアベントウイングの移動操作時に於ける、ノブとの当接に際する衝撃及び騒音を防止することができる。
【００１５】
従って、ノブを操作してエアベントウイングの位置を変更させる使用感の向上を図ると同時に、製作工程を単純化し、組み立てが簡単であって、作業時間を短縮させることができることから多大な効果を奏することができる。
【図面の簡単な説明】
【００１６】
【図１】従来形式のノブ構造に関わる実施例を示す断面図。
【図２】一般的なエアベントの構成を示す斜視図。
【図３】本発明に基づくノブ及びエアベントウイングの組み付け状態を示す斜視図。
【図４】本発明に基づくノブ及びエアベントウイングのＡ−Ａ線断面図。
【図５】本発明の実施例に於いて、ノブの操作に応じて、ゴム片に１次接触した状態を示す断面図。
【図６】ノブの操作に応じて、エアベントウイングに２次接触した状態を示す断面図。
【発明を実施するための形態】
【００１７】
以下、添付の図面を参照して、上記の目的を達成するための本発明の構成を詳しく説明する。
【００１８】
本発明に基づく自動車のエアベントノブ構造は、エアベントの風向を調整するノブの移動に伴う衝撃音を減少させ、操作感を向上することにより、商品価値を高めるようにしたものである。
【００１９】
本明細書では、使用時に於ける方向を基準として、添付された図２及び図３を参照して本発明の好適実施例を説明する。車両用エアベント１００は、その前面にノブ２０が露出するように構成され、ノブ２０の操作により、エアベントウイング１０の位置を変更して、エアベントの内部空気通路を介して流入する冷風又は温風を、車室内の所望の方向に吐出するように構成されている。
【００２０】
ここでは、上下方向調節エアベントウイング１０は、ノブ２０の組付孔２１に組み付けられ、左右方向調節エアベントウイング（図示せず）は、ノブ２０の後方の係合部に結合して、ユーザーが、ノブ２０の操作に応じて、風の方向を上下及び左右方向に簡単に変更することができる。
【００２１】
本実施例では、エアベント前面に位置する上下方向調節エアベントウイング１０にノブ２０を結合させた場合について説明するが、他の実施例として、エアベント前面に左右方向調整エアベントウイングを配置して、このエアベントウイングにノブを組み合わせた製品にも本発明を適用可能であることは言うまでもない。
【００２２】
ノブ２０は、上下方向調節エアベントウイング１０が結合される組付孔２１の一部を画定するノブ本体２０ａと、左右方向の調整エアベントウイングが挿入される係合部としての嵌合孔を備え、ノブ本体２０ａの後方に結合されて組付孔２１の残余の部分を画定する後方カバー２０ｂとにより構成されている。
【００２３】
従って、ノブ本体２０ａの組付孔２１にエアベントウイング１０を配置し、その後方で後方カバー２０ｂを、ノブ本体２０ａに結合することにより、エアベントウイング１０がノブ２０に結合され、ノブ２０の操作に応じて、エアベントウイング１０の方向を調整することができることとなる。
【００２４】
ノブ２０に結合されたエアベントウイング１０の前面には、前方ストッパー１１が形成され、背面にはノブ係合溝１２が形成されている。
【００２５】
ノブ２０の組付孔２１の内部には、弾力性を有する材質で形成されたゴム片３０が組み付けられ、該ゴム片３０の前端に、組立溝２２が形成されている。
【００２６】
ゴム片３０の後端には、前方スライド溝３１が形成され、該前方スライド溝３１には、エアベントウイング１０の前方ストッパー１１が挿入されていることにより、前方ストッパー１１が前方スライド溝３１に沿って左右方向に移動可能にされている。
【００２７】
ノブ２０の後方カバー２０ｂには、ノブ係合溝１２の両側内壁面に当接し得るように、ノブ係合溝１２に受容された後方ストッパー２３が左右に突出形成されている。
【００２８】
この点に関して、ノブ２０の前方ストッパー１１が前方スライド溝３１に沿って左右に相対移動し得る移動距離ｌが、後方ストッパー２３がノブ係合溝１２に沿って左右に移動し得る移動距離Ｌよりも約０．５ｍｍ小さく形成することにより、前方ストッパー１１がゴム片３０の前方スライド溝３１の壁面に最初に当接するようにすることが重要である。
【００２９】
即ち、本発明の実施例に於いては、図５に示した例のように、ノブ２０が、例えば左方に移動して、前方ストッパー１１がゴム片３０の前方スライド溝３１の右側壁面に当接すると、後方ストッパー２３は、ノブ係合溝１２の左側壁面と０．５ｍｍ離隔した位置を占める。
【００３０】
従って、エアベントウイング１０の方向を変更するために、ノブ２０をいずれの方向に操作しても、弾力性を有するゴム片３０に前方ストッパー１１が当接することにより、衝撃や衝撃音が発生せず、使用感を向上させることができる。
【００３１】
そして、ゴム片３０に前方ストッパー１１が接触した状態で、ノブ２０が左方向に向かって更に移動すると、図６に示すように、後方ストッパー２３がノブ係合溝１２の左側壁と当接し、一方、前方ストッパー１１は、前方スライド溝３１の右側壁内に弾性的に突入する。
【００３２】
このように、前方スライド溝３１の一方の側壁が前方ストッパー１１に当接したとき、ゴム片３０は、前方ストッパー１１が突入して来ることにより、弾性的に収縮変形する。従って、操作者の作動力を除去すると、収縮した前方スライド溝３１の一方の側壁が元の状態に復元し、前方ストッパー１１を、図５の状態に押し返すこととなる。
【００３３】
即ち、ノブ２０を、オペレーターが左方向に急激に移動させた場合でも、前方ストッパー１１が、弾力性を有するゴム片３０に最初に当接した後、後方ストッパー２３がノブ係合溝１２と当接することにより、ノブ２０の急激な移動に伴い発生し得る衝撃及び衝撃音を未然に防止することができる。
【００３４】
以上説明した本発明は、上記した実施例或いは添付の図面によって限定されるものではなく、本発明の技術的思想を逸脱しない範囲内で様々な置換、変形及び変更が可能であることは、本発明の属する技術分野で通常の知識を有する者にとって明らかであろう。
【図１】
0006263273.tif 000002
【図２】
0006263273.tif 000003
【図３】
0006263273.tif 000004
【図４】
0006263273.tif 000005
【図５】
0006263273.tif 000006
【図６】
0006263273.tif 000007